(57)【要約】  【課題】  本発明は、記憶装置の外部磁界に対するデータ保全方法に関し、より詳細には外部磁界を検知し、所定の値以上の場合に磁気ヘッドのヒータの通電量を制御し、熱膨張による突出を少なくして磁気スペーシングを拡げ、外部磁界に対してデータ保全する記憶装置とその方法に関する。  【解決手段】  本発明の記憶装置は、垂直磁気記録方式によって記録される記録媒体と、外部磁界の強さを検知する磁気センサと、リード／ライト素子の近傍にヒータを配置し、ヒータの通電により記録媒体に対向するリード／ライト素子の磁極先端部を熱膨張して突出させ、磁気スペーシングを狭める磁気ヘッドと、磁気センサが検知した外部磁界の大きさが所定の値以上あるとき、磁気ヘッドのヒータの通電量を制御して磁気スペーシングを拡げる磁気スペーシング制御部とを備える、よう構成する。【選択図】    図１
2009146536.tif 000002
【特許請求の範囲】
【請求項１】
磁気記録方式によって記録される記録媒体と、
外部磁界の強さを検知する磁気センサと、
リード／ライト素子の近傍にヒータを配置し、該ヒータの通電により前記記録媒体に対向する該リード／ライト素子の磁極先端部を熱膨張して突出させ、該記録媒体と該磁極先端部との間の磁気スペーシングを狭める磁気ヘッドと、
前記磁気センサが検知した外部磁界の大きさが所定の値以上あるとき、前記磁気ヘッドのヒータの通電量を制御して前記磁気スペーシングを拡げる磁気スペーシング制御部と
を備えることを特徴とする記憶装置。
【請求項２】
前記磁気スペーシング制御部は、前記磁気センサが検知した外部磁界の大きさが所定の値以上あるとき、前記磁気ヘッドがリードまたはライトの処理中であれば該リードまたはライトの処理を中止する処理を行った後に、該磁気ヘッドのヒータの通電量を制御して前記磁気スペーシングを拡げる
ことを特徴とする請求項１に記載の記憶装置。
【請求項３】
磁気記録方式によって記録される記録媒体と、
外部磁界の強さを検知する磁気センサと、
外部磁界の強さによって伸縮する板状の磁歪材料からなる磁気感応部材と、
磁気ヘッドを形成したスライダを支持するサスペンションとを備え、
前記磁気感応部材は前記サスペンションの所定位置に固着され、外部磁界の印加により寸法変化を生じて該サスペンションの先端部を引き上げ、該記録媒体と前記磁気ヘッドの磁極先端部との間の磁気スペーシングを拡げる
ことを特徴とする記憶装置。
【請求項４】
磁気センサが検知した外部磁界の値を取得し、該外部磁界の大きさが所定の値以上か否かを判定する外部磁界判定手順と、
前記外部磁界が所定の値以上の場合に、磁気ヘッドのリード／ライト素子の近傍に配置したヒータの通電量を制御して、記録媒体に対向する該リード／ライト素子の磁極先端部の熱膨張による突出を少なくし、該記録媒体と該磁極先端部との間の磁気スペーシングを拡げる磁気スペーシング制御手順と
を有することを特徴とする記憶装置の外部磁界に対するデータ保全方法。
【請求項５】
板状の磁歪材料からなる磁気感応部材をサスペンションの所定位置に固着し、該磁気感応部材が外部磁界の印加により寸法変化を生じて該サスペンションの先端部を引き上げ、該記録媒体と該サスペンションが支持する磁気ヘッドの磁極先端部との間の磁気スペーシングを拡げる
ことを特徴とする記憶装置の外部磁界に対するデータ保全方法。
【請求項６】
磁気センサが検知した外部磁界の値を取得し、該外部磁界の大きさが所定の値以上か否かを判定する外部磁界判定手段と、
前記磁気センサが検知した外部磁界の大きさが所定の値以上あるとき、前記磁気ヘッドがリードまたはライトの処理中であれば該リードまたはライトの処理を中止する処理を行うリードライト中止処理手段と、
前記外部磁界が所定の値以上の場合に、磁気ヘッドのリード／ライト素子の近傍に配置したヒータの通電量を制御して、記録媒体に対向する該リード／ライト素子の磁極先端部の熱膨張による突出を少なくし、該記録媒体と該磁極先端部との間の磁気スペーシングを拡げる磁気スペーシング制御手段と
を有することを特徴とする記憶装置の外部磁界に対するデータ保全制御回路。
【発明の詳細な説明】
【技術分野】
【０００１】
本発明は、記憶装置の外部磁界に対するデータ保全方法に関し、より詳細には磁気センサにより外部磁界を検知し、外部磁界が所定の値以上の場合に磁気ヘッドに形成したヒータの通電量を制御し、熱膨張による突出を少なくして記録媒体と磁気ヘッド先端間の磁気スペーシングを拡げ、外部磁界に対してデータ保全する記憶装置とその方法、および制御回路に関する。
【背景技術】
【０００２】
音声や映像のデジタル化とネットワークの高速化に伴って、それらのデータを記憶する記憶装置のさらなる大容量化が求められている。例えば、磁気ディスク装置においてはそれまでの面内記録方式からより高密度記録化が可能な垂直記録方式に切り替わりつつある。現在では1平方インチ当たり数百ギガビットの面内密度が実現され、さらに1テラビット級も視野に入りつつある。
【０００３】
垂直記録方式では、面内記録方式と比べて磁気ヘッドの構造や記録媒体に記録される磁化方向が異なり、外部磁界による影響を受け易くなっている。図７（ａ）は、垂直記録方式の磁気ヘッド１０を記録媒体の浮上面から見た構成例を示している。磁気ヘッド１０は、アルチック基板２０の表面に２層の下部シールド層５１、５２を形成し、その上にリード素子３０、中間シールド層５３、ライト素子４０そして上部シールド層５４を形成した構成になっている（図７（ａ）は本発明に関係する構成のみを模式的に描いている）。
【０００４】
図７（ｂ）は、記録媒体６０上に浮上している上記の磁気ヘッド１０に外部磁界が印加された状態を示している（図の矢印が外部磁界の磁力線を示している）。記録媒体６０は軟磁性層６１と記録層６２の２層から成っており、磁気記録は図７（ｂ）に示すように垂直方向の磁気異方性を示す記録層６２において記録がなされる。一方、磁気ヘッドに形成されるシールド層５１〜５４は、リード素子３０やライト素子４０に対して磁気シールドを行うものであるが、外部磁界が図に示すように印加されるとシールド層（例えばシールド層５４）内を通る磁力線は角部に集中し、その角部から記録媒体６０に向けて磁力線が放射されることになる。これによって磁界記録媒体６０上に記録したデータを変化させることがある。データの記録、あるいは再生中であればそのデータを変化させることがある。垂直記録方式の場合は、磁気ヘッドと記録媒体とのギャップが狭く、シールド層を通る磁力線の方向と記録媒体６０の磁化方向とが一致しているため、外部磁界の影響を受け易い構造になっている。
【０００５】
図８は、磁気ヘッドと記録媒体とのギャップである磁気スペーシング量に対するデータのエラー発生率を示すもので、磁気スペーシング量が小さければ小さいほどエラーレートが大きくなっていることを示している（ＢｙＥＲ：Byte Error Rateはリードまたはライトに於けるバイト単位のエラー発生比率である）。
【０００６】
これに対し、従来型の面内記録方式は垂直記録方式に較べて磁気スペーシング量は大きく、記録媒体における磁化方向が外部磁界と同方向でないこと、また１ビットを記録するサイズが大きいことから外部磁界の影響は受け難い。しかし、外部磁界の影響は皆無ではない。
【０００７】
本発明では、外部磁界の強度を検知して磁気スペーシングを拡げること行うが、その磁気スペーシングの変化を磁気ヘッド内に形成したヒータを用いて行う。この磁気ヘッド内のヒータを設ける方法は公知である（特許文献１）。特許文献１によれば、突出量はヒータの発熱量に比例し、１００℃で０．０２μｍ、２００℃で０．０４μｍを突出させることができる。即ち、磁気スペーシング量をこの突出量のオーダーで制御できる。
【０００８】
また、垂直記録方式において外乱磁界が発生した場合の対策として、磁気センサで外部磁界をモニタし、外部磁界の強度が許容範囲を超えるとき磁気ヘッドを強制的にディスク上からアンロードさせる提案がなされている。これにより、記録中あるいと再生中の動作を中止させ、記録または再生の誤動作を回避するものである（特許文献２）。
【特許文献１】特開平０５−２０６３５号公報
【特許文献２】特開２００２−１００１４１号公報
【発明の開示】
【発明が解決しようとする課題】
【０００９】
上記に述べたように、特に垂直記録方式においては外部磁界の影響を受け易く、記録されたデータ、あるいは記録再生中のデータを変化させる、という問題がある。
【００１０】
特許文献２に提案されている方法は、外乱磁界の発生を検知して磁気ヘッドを磁気ディスク媒体からアンロードさせるものであり誤動作の回避に有効な方法と考える。しかしながら、磁気ヘッドをアンロードさせた後に復帰のために再びロードさせることになるが、外乱磁界が頻繁に起こると、そのアンロードとロードに多くの時間を要するという問題がある。つまり、急激な外部磁界の変化に対応できないことが考えられる。
【００１１】
本発明は、上記の問題に鑑みて、外部磁界が所定の大きさを超えた場合に短時間で磁気スペーシングを拡大し、外部磁界の影響による誤ったデータの記録や再生の誤動作を回避してデータを保全する記憶装置とその方法とを提供することを目的とする。
【課題を解決するための手段】
【００１２】
本発明の記憶装置と記憶装置の外部磁界に対するデータ保全方法は以下のように構成される。
（１）第１の発明
第１の発明の記憶装置は、記録媒体、磁気センサ、磁気ヘッドおよび磁気スペーシング制御部を備え、記録媒体は磁気記録方式によって記録されるものであり、磁気センサは外部磁界の強さを検知するセンサである。磁気ヘッドは、リード／ライト素子の近傍にヒータを配置し、そのヒータの通電により記録媒体に対向するリード／ライト素子の磁極先端部を熱膨張させて突出し、記録媒体と磁極先端部との間の磁気スペーシングを狭めるものである。そして磁気スペーシング制御部は、磁気センサが検知した外部磁界の大きさが所定の値以上あるとき、磁気ヘッドのヒータの通電量を制御して磁気スペーシングを拡げる、ことを特徴とする。
【００１３】
即ち、第１の発明は、所定値以上の外部磁界を検知して、磁気ヘッドと記録媒体間の磁気スペーシングを拡げて外部磁界の影響を回避するものである。
（２）第２の発明
第２の発明の記憶装置は、第１の発明の磁気スペーシング制御部が、磁気センサが検知した外部磁界の大きさが所定の値以上あるとき、磁気ヘッドがリードまたはライトの処理中であればリードまたはライトの処理を中止する処理を行った後に、磁気ヘッドのヒータの通電量を制御して磁気スペーシングを拡げる、ことを特徴とする。
【００１４】
第１の発明と異なる点は、所定値以上の外部磁界を検知して、まずリードまたはライト中の処理を中止し、その後に磁気スペーシングを拡げて外部磁界の影響を回避するものである。
（３）第３の発明
第３の発明の記憶装置は、記録媒体、磁気センサ、磁気感応部材およびサスペンションとを備える。そして、記録媒体は磁気記録方式によって記録されるものであり、磁気センサは外部磁界を検知するセンサである。磁気感応部材は磁界によって伸縮する板状の磁歪材料からなるものであり、サスペンションは磁気ヘッドを形成したスライダを支持するものである。そして、磁気感応部材はサスペンションの所定位置に固着され、外部磁界の印加により寸法変化を生じてサスペンションの先端部を引き上げ、記録媒体と磁気ヘッドの磁極先端部との間の磁気スペーシングを拡げる、ことを特徴とする。
【００１５】
磁気感応部材をサスペンションの所定位置に固着することにより、外部磁界に感応して磁気スペーシングを大きくさせることができる。
（４）第４の発明
第４の発明の記憶装置の外部磁界に対するデータ保全方法は、外部磁界判定手順と磁気スペーシング制御手順と有する。
【００１６】
外部磁界判定手順は、磁気センサが検知した外部磁界の値を取得し、その外部磁界の大きさが所定の値以上か否かを判定する。
【００１７】
そして磁気スペーシング制御手順は、外部磁界が所定の値以上の場合に、磁気ヘッドのリード／ライト素子の近傍に配置したヒータの通電量を制御して、記録媒体に対向する該リード／ライト素子の磁極先端部の熱膨張による突出を少なくし、記録媒体と磁極先端部との間の磁気スペーシングを拡げる、ことを特徴とする。
（５）第５の発明
第５の発明の記憶装置の外部磁界に対するデータ保全方法は、板状の磁歪材料からなる磁気感応部材をサスペンションの所定位置に固着し、その磁気感応部材が外部磁界の印加により寸法変化を生じてサスペンションの先端部を引き上げ、記録媒体とサスペンションが支持する磁気ヘッドの磁極先端部との間の磁気スペーシングを拡げる、ことを特徴とする。
（６）第６の発明
第６の発明の記憶装置の外部磁界に対するデータ保全制御回路は、外部磁界判定手段とリードライト中止処理手段、および磁気スペーシング制御手段から構成されることを特徴とする。
【００１８】
外部磁界判定手段は、磁気センサが検知した外部磁界の値を取得し、外部磁界の大きさが所定の値以上か否かを判定する。
【００１９】
リードライト中止処理手段は、磁気センサが検知した外部磁界の大きさが所定の値以上あるとき、磁気ヘッドがリードまたはライトの処理中であればリードまたはライトの処理を中止する処理を行う。
【００２０】
磁気スペーシング制御手段は、外部磁界が所定の値以上の場合に、磁気ヘッドのリード／ライト素子の近傍に配置したヒータの通電量を制御して、記録媒体に対向するリード／ライト素子の磁極先端部の熱膨張による突出を少なくし、記録媒体と磁極先端部との間の磁気スペーシングを拡げる。
【発明の効果】
【００２１】
上述した本発明によれば、次に示す効果が得られる。
【００２２】
第１の発明により、磁界強度を検知して、磁気ヘッド内のヒータの通電量を制御して磁気スペーシングを大きくするようにしたので、急激な外部磁界の変化に対応したデータの保全が図れる記憶装置の提供が可能である。
【００２３】
第２の発明により、リード／ライトの中止処理を行ってから磁気スペーシングを拡げるようにしたので、第１の発明に加えリード／ライトの処理中であっても回避ロスタイムが少ないデータの保全が図れる記憶装置の提供が可能である。
【００２４】
第３の発明により、サスペンション上に感応部材を固着したので、簡単な構造で外部磁界に対するデータの保全が図れる記憶装置の提供が可能である。
【００２５】
第４の発明により、第１の発明と同様の効果が得られる記憶装置の外部磁界に対するデータ保全方法の提供が可能である。
【００２６】
第５の発明により、第３の発明と同様の効果が得られる記憶装置の外部磁界に対するデータ保全方法の提供が可能である。
【００２７】
第６の発明により、第２の発明と同様の効果が得られる記憶装置の外部磁界に対するデータ保全制御回路の提供が可能である。
【発明を実施するための最良の形態】
【００２８】
本発明の記憶装置と外部磁界に対するデータ保全方法の実施形態を図１〜図６を用いて説明する。本実施形態では、記憶装置として磁気ディスク装置を例に説明する。
（実施形態その１）
本発明の実施形態その１を、図１〜図４を用いて説明する。実施形態その１は、磁気ヘッドに形成したヒータにより磁気スペーシングを拡げる第１と第２及び第４の発明に対応するものである。
【００２９】
図１は、本発明による磁気ディスク装置１００の構成を示すもので、全体を制御する制御部２００、磁気センサ３１０を制御する磁気センサ制御回路３００、磁気ヘッドに内蔵したヒータ４１０の通電量を制御するヒータ制御回路４００、メモリ５００上に展開した外部磁界に対するデータ保全を行う制御プログラム６００から構成する。なお、図１に示す磁気ディスク装置１００の構成は本発明に関する部分のみを示している。
【００３０】
図２は、磁気ディスク装置１００の筐体の上蓋を外したときの外観を示すもので、図中の円盤状の形状が磁気ディスク記録媒体１１０で、その磁気ディスク記録媒体１１０上に配置されている部材がサスペンション１２０である。サスペンション１２０は先端部に磁気ヘッドを形成したスライダ１３０を支持している。周知のように、このスライダ１３０は回転する磁気ディスク記録媒体１１０上を浮上している。前述したヒータを内蔵した磁気ヘッドはこのスライダ１３０の先端の浮上面に形成されている。また、磁気センサ３１０は、磁気ディスク装置１００の例えば図に示す位置の制御基板上に搭載している。磁気センサ３１０は、例えばホール素子である。
【００３１】
制御プログラム６００は、外部磁界判定部６１０、リード／ライト中止処理部６２０及びヒータ制御部６３０から構成する。それぞれについて概要を述べる（詳細は後述の処理フローで説明する）。
【００３２】
外部磁界判定部６１０は、所定時間のタイミングで磁気センサを用いて外部磁界を計測し、計測値が所定の磁界強度以上であればリード／ライト中止処理部６２０に対してリード／ライト中止の処理を要求する。そして、リード／ライト中止処理部６２０からリード／ライト中止処理の完了通知を受けて、ヒータ制御部６３０に通電量の制御要求を行う。さらに続いて、所定時間のタイミングで外部磁界を計測し、計測値が所定の磁界強度より小さくなれば、リード／ライト中止処理部６２０に復帰の処理を要求する。復帰処理の完了通知を受けて、ヒータ制御部６３０に対し、ヒータの通電量の復帰要求を行う。以降は上記を繰り返す。
【００３３】
リード／ライト中止処理部６２０は、外部磁界判定部６１０からのリード／ライトの中止処理の要求に基づいて、現在リードまたはライトの処理中であるかを判定し、処理中であればその処理を中止し、処理の再開に備えた処理を行う。そしてこれらの処理後、完了通知を外部磁界判定部６１０に行う。リードまたはライトの処理中でなければ、特に何もせず完了通知を外部磁界判定部６１０に対して行う。
【００３４】
また、外部磁界判定部６１０から復帰処理の要求に基づいて、処理の再開を行う。再開後は復帰処理の完了通知を外部磁界判定部６１０に行う。
【００３５】
ヒータ制御部６３０は、外部磁界判定部６１０から制御要求に基づいてヒータの通電量をヒータ制御回路４００を介して制御する。例えば、ヒータの通電量を「０」（即ち、ＯＦＦ）とする。また、外部磁界判定部６１０からの復帰要求を受けてヒータの通電量を元の通電量に戻す。
【００３６】
次に、ヒータへの通電の制御によって磁気スペーシングを拡げる例を説明する。図３（ａ）は外部磁界が印加される前の状態の記録媒体６０上に浮上しているスライダ１３０を示している。スライダ１３０はサスペンション１２０の端部に支持され、スライダ１３０の右方先端にはライト素子１３１とリード素子１３２の磁気ヘッド部が形成され、ライト素子１３１とリード素子１３２の中間の位置にヒータ４１０が形成されている。図３（ａ）のヒータ４１０は通電がなされており、図に示すように記録媒体面に対して磁気ヘッド部が熱膨張により突出している。この時の磁気スペーシングは、突出面と記録媒体との間の距離「Ｓ」ということになる。図３（ｂ）は外部磁界が印加され（図の上方から下方に向く矢印）、ヒータの通電を「ＯＦＦ」とした場合の状態を示している。磁気ヘッド部の突出はなくなり、磁気スペーシングは「Ｓ’」と拡がっている。
【００３７】
次に実施形態その１の処理フローを図４を用いて説明する。この処理フローは磁気ヘッドが記録媒体上にローディングされてから、データに変化を及ぼす外部磁界を検知してリード／ライト処理の中止を行って磁気スペーシングを拡げ、外部磁界による影響がなくなりリード／ライト処理を再開するまでの一連の処理を説明する。
【００３８】
まず、後述するリード／ライト処理を中止したかどうかを示すフラグＳＰＦを初期化（ＳＰＦ＝０）しておく（Ｓ１００）。
【００３９】
続いて、磁気センサ３１０が検知した外部磁界の計測値を取得し、この取得した計測値が閾値を超えているかどうかを判定する。閾値は、データの変化を招く外部磁界の強さであり、この値は予め設定されているものである（Ｓ１１０、Ｓ１２０）。
【００４０】
判定の結果、計測値が閾値以上であったとき、フラグＳＰＦを参照してフラグの値が「０」であれば続いて磁気ヘッドがリードまたはライトの処理中かどうかを判定する。リード／ライトの処理中であったとき、その処理を中止する処理を装置側に対して行う。そして、その中止の処理を実施したことを示すためにフラグＳＰＦを「１」にする。（Ｓ１３０〜Ｓ１６０）。
【００４１】
ステップＳ１７０においては、ヒータの通電量を下げる。例えば「ＯＦＦ」にする。これにより、スライダ１３０の磁気ヘッド部の突出がなくなり、磁気スペーシングが拡大されることになる。そして所定時間（例えば、数μ秒〜数十μ秒）の経過を待って、再び磁気センサから磁界の計測値を取得するステップ（Ｓ１１０）に戻る。ステップＳ１３０で、フラグＳＰＦが「０」でないとき（即ち「１」のとき）はステップＳ１８０に進む。また、ステップＳ１４０で、リード／ライトの処理中でなかったときは、中止処理を行うことなくヒータの通電量を下げるステップＳ１７０に進む（Ｓ１７０、Ｓ１８０）。
【００４２】
ステップＳ１２０で磁気センサから習得した計測値が閾値を超えていなければステップＳ１９０に進む。ステップＳ１９０においてはヒータの通電量を元に戻す。また、フラグＳＰＦを参照し、フラグの値が「１」であった場合はリード／ライトの中止処理を実施していたため、リード／ライト再開する処理を装置側に対して行う。そして、フラグＳＰＦを初期値の「０」に戻して一連の処理は終了する（実際の処理は、一連の処理後再びステップＳ１００に戻り、磁気ディスク装置がアンロードされるまで、この制御は続けられる）。（Ｓ１９０−Ｓ２２０）。
（実施形態その２）
次に、実施形態その２を、図５と図６を用いて説明する。実施形態その２は第３と第５の発明に対応するものである。即ち、実施形態その２ではヒータによる磁気スペーシングの制御を行わずに、サスペンションに磁気感応部材を取り付けて磁気スペーシングの制御を行う。従って、実施形態その２の磁気ディスク装置の構成は、図１のヒータ４１０とヒータ制御回路、およびヒータ制御部６３０がないだけで、あとは同一である。また、図２の磁気センサ３１０の配置も同一である。
【００４３】
図５を用いて、磁歪材料による磁気スペーシングの制御例を説明する。図５（ａ）は、外部磁界が印加される前の状態の記録媒体６０上に浮上しているスライダ１３０を示している。図５（ａ）に示すように、サスペンション１２０は左方から右方にかけて途中で屈折して記録媒体６０に略平行になり、この平行する部分の下面にスライダ１２０を支持する。このサスペンション１２０の屈折する部分の上部の面（記録媒体６０と対向する反対の面）に板状の磁気感応部材７００を例えば溶接により固着している。なお、サスペンション１２０に支持されるスライダ１２０の右方先端の記録媒体６０と対向する面には磁気ヘッド部が形成され、この面と記録媒体６０との間が磁気スペーシングＳである。
【００４４】
図５（ｂ）は、外部磁界が印加された状態で、この外部磁界に感応して磁気感応部材７００は左右に縮む方向に形状変化する。この形状変化により平行であったサスペンション１２０のスライダ１３０を支持する先端部分が引っ張られる方向に変化し（即ち、上方に持ち上がり）、磁気スペーシングは拡がる。外部磁界が印加される前の磁気スペーシングＳからＳ’に拡がることになる。
【００４５】
次に、実施形態その２の処理フローについて図６を用いて説明する。
【００４６】
図６（ａ）は磁気感応部材７００の動作を示すもので、磁気感応部材７００は図５に示すようにサスペンション１２０に張り付けた状態であるので、その状態で外部磁界が印加されたとき、この外部磁界に感応して縮む方向に形状変化し、磁気スペーシングを拡げる。
【００４７】
図６（ｂ）は、磁気感応部材７００の形状変化と独立して作動する処理のフローを示している。このフローは、図４で示した処理フローのうち、ヒータ４１０の制御を除いたものと同一の処理でよい。即ち、磁気センサ３１０が外部磁界を検知してその計測値が所定の閾値を超えたとき、リード／ライト処理中であった場合に中止させる処理を行い、外部磁界の強さが閾値以下となったときリード／ライト処理を再開させる。説明は前述と略同一であるので省略する。
【００４８】
なお、本発明は特に垂直記録方式において有効であるが、面内記録方式においても適用可能である。
【００４９】
上の実施例に関し、さらに以下の付記を開示する。
（付記１）
磁気記録方式によって記録される記録媒体と、
外部磁界の強さを検知する磁気センサと、
リード／ライト素子の近傍にヒータを配置し、該ヒータの通電により前記記録媒体に対向する該リード／ライト素子の磁極先端部を熱膨張して突出させ、該記録媒体と該磁極先端部との間の磁気スペーシングを狭める磁気ヘッドと、
前記磁気センサが検知した外部磁界の大きさが所定の値以上あるとき、前記磁気ヘッドのヒータの通電量を制御して前記磁気スペーシングを拡げる磁気スペーシング制御部と
を備えることを特徴とする記憶装置。
（付記２）
前記磁気スペーシング制御部は、前記磁気センサが検知した外部磁界の大きさが所定の値以上あるとき、前記磁気ヘッドがリードまたはライトの処理中であれば該リードまたはライトの処理を中止する処理を行った後に、該磁気ヘッドのヒータの通電量を制御して前記磁気スペーシングを拡げる
ことを特徴とする付記１に記載の記憶装置。
（付記３）
磁気記録方式によって記録される記録媒体と、
外部磁界の強さを検知する磁気センサと、
外部磁界の強さによって伸縮する板状の磁歪材料からなる磁気感応部材と、
磁気ヘッドを形成したスライダを支持するサスペンションとを備え、
前記磁気感応部材は前記サスペンションの所定位置に固着され、外部磁界の印加により寸法変化を生じて該サスペンションの先端部を引き上げ、該記録媒体と前記磁気ヘッドの磁極先端部との間の磁気スペーシングを拡げる
ことを特徴とする記憶装置。
（付記４）
磁気センサが検知した外部磁界の値を取得し、該外部磁界の大きさが所定の値以上か否かを判定する外部磁界判定手順と、
前記外部磁界が所定の値以上の場合に、磁気ヘッドのリード／ライト素子の近傍に配置したヒータの通電量を制御して、記録媒体に対向する該リード／ライト素子の磁極先端部の熱膨張による突出を少なくし、該記録媒体と該磁極先端部との間の磁気スペーシングを拡げる磁気スペーシング制御手順と
を有することを特徴とする記憶装置の外部磁界に対するデータ保全方法。
（付記５）
板状の磁歪材料からなる磁気感応部材をサスペンションの所定位置に固着し、該磁気感応部材が外部磁界の印加により寸法変化を生じて該サスペンションの先端部を引き上げ、該記録媒体と該サスペンションが支持する磁気ヘッドの磁極先端部との間の磁気スペーシングを拡げる
ことを特徴とする記憶装置の外部磁界に対するデータ保全方法。
（付記６）
磁気センサが検知した外部磁界の値を取得し、該外部磁界の大きさが所定の値以上か否かを判定する外部磁界判定手段と、
前記磁気センサが検知した外部磁界の大きさが所定の値以上あるとき、前記磁気ヘッドがリードまたはライトの処理中であれば該リードまたはライトの処理を中止する処理を行うリードライト中止処理手段と、
前記外部磁界が所定の値以上の場合に、磁気ヘッドのリード／ライト素子の近傍に配置したヒータの通電量を制御して、記録媒体に対向する該リード／ライト素子の磁極先端部の熱膨張による突出を少なくし、該記録媒体と該磁極先端部との間の磁気スペーシングを拡げる磁気スペーシング制御手段と
を有することを特徴とする記憶装置の外部磁界に対するデータ保全制御回路。
（付記７）
前記磁気ディスク装置は、該磁気ディスク装置が備える磁気センサが所定の値以上の外部磁界を検知したとき、磁気ヘッドがリードまたはライトの処理中であれば該リードまたは該ライトの処理を中止する処理を行う
ことを特徴とする付記３に記載の記憶装置。
（付記８）
磁気スペーシング制御手順は、前記外部磁界が所定の値以上の場合に、磁気ヘッドがリードまたはライトの処理中であれば該リードまたはライトの処理を中止する処理を行った後に、該磁気ヘッドのリード／ライト素子の近傍に配置したヒータの通電量を制御して、記録媒体に対向する該リード／ライト素子の磁極先端部の熱膨張による突出を少なくし、該記録媒体と該磁極先端部との間の磁気スペーシングを拡げる
ことを特徴とする付記４に記載の記憶装置の外部磁界に対するデータ保全方法。
（付記９）
前記磁気感応部材の前記サスペンションにおける所定位置は、該サスペンションの記録媒体と対向する面と反対の面
であることを特徴とする付記３に記載の記憶装置。
【図面の簡単な説明】
【００５０】
【図１】磁気ディスク装置の構成例（実施形態その１）である。
【図２】磁気ディスク装置における磁気センサ配置例（実施形態その１）である。
【図３】磁気スペーシングの拡大例（実施形態その１）である。
【図４】処理フロー例（実施形態その１）である。
【図５】磁気スペーシングの拡大例（実施形態その２）である。
【図６】処理フロー例（実施形態その２）である。
【図７】外部磁界によるデータ変化の発生例である。
【図８】磁気スペーシングと外部磁界によるデータのエラーレートである。
【符号の説明】
【００５１】
１０    磁気ヘッド
２０    アルチック基板
３０    リード素子
４０    ライト素子
５１    下部シールド層１
５２    下部シールド層２
５３    中間シールド層
５４    上部シールド層
６０    記録媒体
６１    軟磁性層
６２    記録層
１００  磁気ディスク装置
１１０  記録媒体
１２０  サスペンション
１３０  スライダ
１３１  ライト素子
１３２  リード素子
２００  制御部
３００  磁気センサ回路
３１０  磁気センサ
４００  ヒータ制御回路
４１０  ヒータ
５００  メモリ
６００  制御プログラム
６１０  外部磁界判定部
６２０  リード／ライト中止処理部
６３０  ヒータ制御部
７００  磁気感応部材
【図１】
2009146536.tif 000003
【図２】
2009146536.tif 000004
【図３】
2009146536.tif 000005
【図４】
2009146536.tif 000006
【図５】
2009146536.tif 000007
【図６】
2009146536.tif 000008
【図７】
2009146536.tif 000009
【図８】
2009146536.tif 000010